(57)【要約】【課題】ワタのソフト感に優れる点と、粒状の充填材の通気性及び姿勢に応じて枕形状を適宜変形させることができる点とを保有し、ワタ切れを起こしにくく改良された枕を提供することを課題とするものである。【解決手段】袋内面２ａにワタ層３が設けられた袋２内に、粒状の充填材６が入れられた枕に於いて、ワタ層３の内面３ａにシート材５が付着されている枕を解決手段とする。シート材５は、熱融着性接着剤でワタ層３の内面３ａに付着させる。【選択図】      図１
2004267288.tif 000002
【特許請求の範囲】
【請求項１】
袋内面（２ａ）にワタ層（３）が設けられた袋（２）内に、粒状の充填材（６）が入れられた枕に於いて、前記ワタ層（３）の内面（３ａ）にシート材（５）を付着したことを特徴とする枕。
【請求項２】
前記シート材（５）の少なくとも外面（３ｂ）に、ワタ層（３）の内面（３ａ）の一部又は全面に付着する熱融着部を有する請求項１記載の枕。
【発明の詳細な説明】
【０００１】
【発明の属する技術分野】
本発明は枕の改良に関する。
【０００２】
【従来の技術】
一般に、頭に敷く枕、腰に敷く枕（一般にクッションとも言う）など各種の枕は、袋内にワタ（繊維のかたまり）や粒状の充填材などが充填されて構成されている。
綿花、羊毛、パンヤなどのワタが袋内に充填された枕は、軟らかく使用感が良い反面、通気性などに劣る。他方、ソバガラ、合成樹脂製パイプ、木質チップなどの粒状の充填材が充填された枕は、通気性が良く且つ使用時の姿勢に応じて変形し形状を維持するという利点がある反面、ワタに比して硬くソフト感に劣る。
【０００３】
両者を組み合わせた枕として、登録実用新案第３０２６８５６号公報に記載されているように、内面にワタが張られた枕袋内に、茶葉や木材チップなどの粒状の充填材が入れられたものが知られている。かかる構成の枕は、枕袋内面に設けられたワタ層が緩衝材となるので軟らかくソフト感があり、又、その内部に粒状の充填材が充填されているので、通気性が良く且つ適宜変形するので、両者の利点を併せ持つ。
【０００４】
【特許文献１】
登録実用新案第３０２６８５６号公報（第７−８頁の［００２１］−［００２３］及び図２）
【０００５】
【発明が解決しようとする課題】
しかしながら、上記内面にワタを設けた枕は、使用しているうちにワタ切れを起こし易く、特に、枕の中央部などにワタ切れを起こしやすい。このようにワタ切れを起こすと、その部分から枕袋とワタ層の間に充填材が入り込み、枕袋に粒状の充填材が直に接するのでソフト感がなくなってしまう。
【０００６】
【発明が解決しようとする課題】
本発明は、上記の点に鑑み、ワタと充填材の双方の利点を保有しつつ、ワタ切れを起こしにくく改良された枕を提供することを課題とするものである。
【０００７】
【課題を解決するための手段】
本発明者は、上記のようなワタ切れを生じる原因について鋭意研究したところ、使用時に袋内で充填材が動く際にそれがワタ層に干渉すること及び枕を持ったりする際にワタ層に負荷が掛かることが原因でワタ切れを起こすことを見出した。そして、これを防止する手段として、ワタ層を十分に厚くすることを検討したが、そうすると充填材を入れた利点が低下する。また、袋内面に接着剤や縫製などの付着手段を用いてワタ層を付着させることを検討したが、そうすると袋表面が硬くなったり或いは一部に窪みが生じたりして、枕を敷いた際の使用感が低下するだけでなく、ワタ切れ防止策としても十分ではない。一方、充填材を十分に充填することも検討したが、そうすると全体的に硬くなるためワタ層を入れた意味がなくなるだけでなく、充填材が自由に動き難くなるので姿勢に応じて適宜形状に変形し難くなる。
【０００８】
そこで、本発明は、袋内面２ａにワタ層３が設けられた袋２内に、粒状の充填材６が入れられた枕に於いて、ワタ層３の内面３ａにシート材５を付着した枕を提供する。
【０００９】
このようにワタ層３の内面３ａにシート材５を付着することにより、使用中に充填材６が動いてもこれが直接ワタ層３に干渉しないので、ワタ切れを防止できる。また、シート材５はワタ層３の内面３ａに付着しているので、袋表面が硬くならず、又、シート材５に充填材６が干渉しても、シート材５がワタ層３から外れたり位置ずれを起こしたりすることがなく、長期間に亘ってワタ層３を充填材６の干渉から保護することができる。
【００１０】
また、製作が容易で、且つシート材５がワタ層３から外れ難いという点から、少なくとも外面３ｂに、ワタ層３の内面３ａの一部又は全面に付着する熱融着部を有するシート材５を用い、この熱融着部によってワタ層３に付着させることが好ましい。
【００１１】
【発明の実施形態】
以下、本発明の実施形態について、図面を参照しつつ詳細に説明する。
図１は、本発明に係る枕の縦断面図を示す。図２は、その要部を拡大した図である。
図１及び図２に於いて、１は、袋２の内面２ａに設けられたワタ層３と、ワタ層３の内面３ａに付着されたシート材５と、袋２の内部に入れられた充填材６を示す。
袋２は、例えば１枚の袋生地を折り返して重ね合わせ、重ね合わせ部２ｃを縫製などの公知の手段で接合した所定形状（例えば平面矩形状）の袋状体であり、例えば、袋生地としては、綿花、絹などの天然繊維、合成繊維、又はこれらの複合繊維からなる織物生地、キルト生地など各種の生地を用いることができる。
【００１２】
袋２の内面２ａに設けられたワタ層３は、繊維のかたまりを弾力性を残した状態で薄層（約５ｍｍ〜２０ｍｍ、好ましくは約１０ｍｍ〜１５ｍｍ）に形成したものであり、袋２の内面２ａの全面に（付着手段を介さずに）添えられている。ワタ層３の外面３ｂ（袋２と接する面）を袋２の内面２ａに付着させると、袋２の外面２ｂが硬くなり、使用感が悪くなるからである。
ワタ層３を構成する繊維としては特に限定されず、綿花、絹、羊毛、麻、パンヤなどの天然繊維、ポリエステル繊維などの合成繊維、天然繊維と合成繊維の混合など各種繊維を用いることができる。
【００１３】
また、シート材５は、破れにくいシート状のもので、例えば、各種の天然繊維、合成繊維、又はこれらの複合繊維からなる織物生地、天然繊維、合成繊維、又はこれらの複合繊維からなる不織布生地、フェルト生地（真綿などの比較的長い繊維をシート状にしたものを含む）、ガーゼなどの網状体生地などを用いることができる。
シート材５は、ワタ層３の内面３ａに付着手段を介して付着されている。付着手段としては、接着剤による接着、縫製による縫い付け、起毛部による係合などの各種の手段を採用することができる。
【００１４】
接着による具体例は、外面５ｂ（ワタ層３と付着する面）に熱融着性接着剤が具備されたシート材５を、ワタ層３の内面３ａに熱融着することが例示できる。この場合、シート材５の外面５ｂの全面をワタ層３に接着させてもよいし、シート材５の外面５ｂの一部（例えば所定間隔をあけて複数の箇所）をワタ層３に接着させてもよい。中でも、安価で且つ付着作業が容易なことから、シート材５として、少なくとも外面５ｂに熱融着部（熱融着性接着剤）を有する不織布を用いることが好ましい。
また、縫い付けによる具体例は、シート材５の外面５ｂをワタ層３の内面３ａに添わせ、シート材５の周囲又は一部をワタ層３に縫い付けることが例示できる。
さらに、係合による具体例は、図３に示すように、外面５ｂにワタ層３の内面３ａに係合可能な起毛部７を備えるシート材５を、ワタ層３の内面３ａにその起毛部７が絡み合うようにして付着させることが例示できる。このようなシート材５としては、例えば、真綿などの比較的毛足の長い繊維をシート状に成形したものを用いることが好ましい。
【００１５】
シート材５は、ワタ層３の内面３ａの全面に亘って設けられていることが好ましいが、ワタ層３の周囲を除いたワタ層３の中央部分にのみ設けてもよい。
【００１６】
また、充填材６は、粒状のものであれば特に限定されず、ソバガラ、あずき、ヒバやヒノキなどの木質チップ、茶葉、ポリエステル・ポリウレタン・ポリエチレンなどの合成樹脂製パイプ、ビーズ、小石、セラミック粒などが例示される。充填材６を入れる量は、適宜設定すればよいが、内部で充填材６が動くことができる程度が好ましい。袋内に目一杯充填すると、枕全体が硬くなり、又充填材６が動き難くなるからである。
【００１７】
次に、上記枕は、例えば次の手順で製作することができる。すなわち、木綿のかたまりを約１０ｍｍ程度の薄層に形成したワタ層の内面に、外面に熱融着性接着剤を備える不織布を当て、不織布の内面から加熱することにより、不織布の外面をワタ層の内面に接着させる。次に、この不織布付きワタ層の外面を袋生地の内面に添え、不織布が重なるように袋生地を折り返し、充填材挿入口を確保しつつその周囲を縫製することにより平面矩形状の袋を形成する。最後に、未縫製の充填材挿入口から袋内に充填材を入れ、該挿入口を縫製することによって、本発明の枕を製造することができる。
【００１８】
上記枕は、袋の内面にワタ層が設けられているので、枕の表面側では軟らかく、又、内部の充填材は自由に動くことができるので、通気性や姿勢に応じて適宜変形して維持し、ワタと充填材の利点を併有する。そして、ワタ層の内面には、シート材が付着されているので、ワタ層に充填材が直接に接触せず、又充填材の干渉によってシート材がワタ層からずれたりする虞もなく、長期間に亘ってワタ層のワタ切れを防止することができる。
【００１９】
尚、上記各実施形態に於いて、枕は、その全体形状が平面矩形状のものを例示しているが、これに限定されず、平面円形状など種々の形状に形成することができる。その他本発明に係る枕は、上記各実施形態に限られず、本発明の意図する範囲で適宜変更、代用などすることができる。
【００２０】
【発明の効果】
以上の通り、ワタ層の内面にシート材が付着されている本発明の枕は、充填材がワタ層に接触せず、シート材がワタ層から外れる虞もないので、ワタ切れを防止することができる。
従って、枕表面の軟らかさ、枕の通気性、及び適宜枕の形状が変形しその形状を維持することができるというワタ層と粒状の充填材の利点を長期間に亘って保有する枕を提供することができる。
【図面の簡単な説明】
【図１】本発明の枕を示す断面図。
【図２】図１の要部拡大断面図。
【図３】起毛部を備えるシート材を用いた枕の変形例を示す要部拡大断面図。
【符号の説明】
１…枕、２…袋、３…ワタ層、５…シート材、６…充填材、７…起毛部
【図１】
2004267288.tif 000003
【図２】
2004267288.tif 000004
【図３】
2004267288.tif 000005